(57)【要約】【課題】端子ピン数を増加する場合にも、従来に比べて隣接する端子ピン間の間隔を広くする。【解決手段】複数の巻線が施される筒状の巻枠部１と、前記巻線の末端部が絡げられる端子ピン５が植設され、前記巻枠部１の両端下部に突出して形成された端子台３Ａ、３Ｂとを具備したボビンを有し、前記端子ピン５が千鳥状に配置されている。【選択図】  図１
2004356496.tif 000002
【特許請求の範囲】
【請求項１】
複数の巻線が施される筒状の巻枠部と、
前記巻線の末端部が絡げられる端子ピンが植設され、前記巻枠部の両端下部に突出して形成された端子台とを具備したボビンを有し、
前記端子ピンが千鳥状に配置されていることを特徴とする巻線部品。
【請求項２】
複数の巻線が施される筒状の巻枠部と、
前記巻枠部の両端下部に突出して形成された２つの端子台基部と、
この端子台基部に形成され、それぞれに１本の端子ピンが植設される複数の端子台ブロックと、
前記各端子台ブロック間に形成された溝部と、
前記端子台ブロック先端部に、外部へ向かって突出して形成された２つの突片とを具備し、
前記巻線が前記溝を介して前記突片の下部から前記２つの突片間へ回り込み前記端子ピンへと配線されていることを特徴とする巻線部品。
【請求項３】
前記２つの端子台基部の内の少なくとも一方の端子台基部に設けられた前記端子台ブロックは、端子台基部の端縁部を起点とし巻枠部側へ延びるように形成されたものと、端子台基部の端縁から巻枠部側へ後退した位置を起点とし巻枠部側に延びるように形成されたものとを、交互に配置し、前記端子ピンが千鳥状に配置されることを特徴とする請求項２に記載の巻線部品。
【発明の詳細な説明】
【０００１】
【発明の属する技術分野】
この発明は、チョークコイルやトランスなどの巻線部品に関し、特に、多くの端子を備える巻線部品に関するものである。
【０００２】
【従来の技術】
従来のこの種の部品としては、特許文献１に記載されたものが知られている。この特許文献１に記載のトランスは、コイルボビンの鍔に形成された端子植設部にピン端子を設け、ピン端子が設けられる部分に段差を設けてリード線の余長部を短くカット可能にするものである。
【０００３】
【特許文献１】
特開平１０−３７８４３号公報
【０００４】
【発明が解決しようとする課題】
端子ピンの数は、例えば、タップ数などに応じた数とされる。ここで、端子台基部の長さ（幅）を一定とすると、端子ピン数の増加につれて隣接する端子ピン間の間隔が狭くなる。端子ピン間の間隔は絶縁耐圧などの安全上の問題及び製造上の問題などからある程度を超えて狭くすることはできない。したがって、端子ピン数を増加するためには、端子台基部の長さ（幅）を長くする必要があり、部品の大型化につながる問題がある。
【０００５】
本発明は上記の問題点を解決せんとしてなされたもので、その目的は、端子ピン数を増加する場合にも、従来に比べて隣接する端子ピン間の間隔を広くすることが可能な巻線部品を提供することである。
【０００６】
【課題を解決するための手段】
本発明に係る巻線部品は、複数の巻線が施される筒状の巻枠部と、前記巻線の末端部が絡げられる端子ピンが植設され、前記巻枠部の両端下部に突出して形成された端子台とを具備したボビンを有し、前記端子ピンが千鳥状に配置されていることを特徴とする。
【０００７】
本発明に係る巻線部品は、複数の巻線が施される筒状の巻枠部と、前記巻枠部の両端下部に突出して形成された２つの端子台基部と、この端子台基部に形成され、それぞれに１本の端子ピンが植設される複数の端子台ブロックと、前記各端子台ブロック間に形成された溝部と、前記端子台ブロック先端部に外部へ向かって突出して形成された２つの突片とを具備し、前記巻線が前記溝を介して前記突片の下部から前記２つの突片間へ回り込み前記端子ピンへと配線されていることを特徴とする。
【０００８】
本発明に係る巻線部品は、前記２つの端子台基部の内の少なくとも一方の端子台基部に設けられた前記端子台ブロックは、端子台基部の端縁部を起点とし巻枠部側へ延びるように形成されたものと、端子台基部の端縁から巻枠部側へ後退した位置を起点とし巻枠部側に延びるように形成されたものとを、交互に配置し、前記端子ピンが千鳥状に配置されることを特徴とする。
【０００９】
【発明の実施の形態】
以下添付図面を参照して、本発明に係る巻線部品の実施例を説明する。各図において、同一の構成要素には、同一の符号を付して重複する説明を省略する。図１、図２に示されるように、筒状の巻枠部１に複数の巻線が施され（巻回され）る。巻枠部１の両下端部には、鍔２につながる端子台３Ａ、３Ｂが形成されている。一方の端子台３Ａは、板状の端子台基部４Ａと、この端子台基部４Ａに形成され、それぞれに１本の端子ピン５が植設される複数の端子台ブロック６Ａ、６Ｂ、６Ｃとにより構成されている。
【００１０】
端子台ブロック６Ａは、端子台基部４Ａの長手方向における両端に形成され、端子台基部４Ａの端縁から巻枠部１側へ向かって延びる概ね直方体状のブロックとなっている。端子台ブロック６Ａには、三角柱状のオフセット用突起７が形成されている。端子台ブロック６Ｂは、端子台ブロック６Ａの隣から１個おきに形成されたブロックであり、他の端子台ブロック６Ａ、６Ｃより小型であり、端子台基部の端縁から巻枠部側へ後退した位置に形成され、概ね直方体状のブロックとなっている。端子台ブロック６Ｃは、端子台ブロック６Ｂに挟まれるように形成され、端子台基部４Ａの端縁から巻枠部１側へ向かって延びる概ね直方体状のブロックとなっている。
【００１１】
端子台ブロック６Ａ、６Ｂ、６Ｃの間には、図３に示すように、巻枠部１から引き出された巻線を個別に配線するための溝が形成されている。また、端子台ブロック６Ｂ、６Ｃの頭部側の先端部には、外部へ向かって突出した２つの突片８、８が形成されている。端子台ブロック６Ａの頭部側の先端部には、外部へ向かって突出して１つの突片８が形成されている。
【００１２】
他方の端子台３Ｂは、板状の端子台基部４Ｂと、この端子台基部４Ｂに形成され、それぞれに１本の端子ピン５が植設される複数の端子台ブロック９Ａ、９Ｂ、９Ｃ、９Ｄとにより構成されている。
【００１３】
端子台ブロック９Ａは、端子台基部４Ｂの長手方向における両端に形成され、端子台基部４Ｂの端縁から巻枠部１側へ向かって延びる概ね直方体状のブロックとなっている。一方の端子台ブロック９Ａには、三角柱状のオフセット用突起７が形成され、他方の端子台ブロック９Ａには、四角柱状のオフセット用突起１０が形成されている。上記各オフセット用突起７、１０は同じ高さであり、当該巻線部品をプリント配線板に実装する際に、プリント配線板の表面に当接してストッパとなる。端子台ブロック９Ｂは、端子台ブロック６Ａの隣から１個おきに形成されたブロックであり、端子台ブロック９Ａ、９Ｃより小型であり、端子台基部４Ｂの端縁から巻枠部１側へ後退した位置を起点とし巻枠部１側に延びるように形成され、概ね直方体状のブロックとなっている。
【００１４】
端子台ブロック９Ｃは、端子台ブロック９Ｂに挟まれるように形成され、端子台基部４Ｂの端縁部を起点とし巻枠部１側へ向かって延びる概ね直方体状のブロックとなっている。端子台ブロック９Ｄは、端子台ブロック９Ｂが端子台基部４Ｂの端縁から巻枠部１側へ後退した位置に形成されているために生じるスペースに形成され、概ね直方体状のブロックとなっている。
【００１５】
端子台ブロック９Ａ、９Ｂ、９Ｃ、９Ｄの間には、巻枠部１から引き出された巻線を個別に配線するための溝が形成されている。また、端子台ブロック９Ｂ、９Ｃ、９Ｄの頭部側の先端部には、外部へ向かって突出して２つの突片８、８が形成されている。端子台ブロック９Ａの頭部側の先端部には、外部へ向かって突出して１つの突片８が形成されている。
【００１６】
端子台ブロック９Ｄを取り除くと、端子台３Ａと端子台３Ｂとは、概ね同一の端子台ブロックを有している。端子台ブロック９Ｄに植設されている端子ピン５は、通常は使用しないダミー端子ピンであり、端子台ブロック６Ｂ、６Ｃ、９Ｂ、９Ｃに関する限り、巻線が溝を介して突片８の下部から前記２つの突片８、８間へ回り込み端子ピン５へと配線されている。端子台ブロック６Ｂ、６Ｃと、端子台ブロック９Ｂ、９Ｃに植設された端子ピンは、千鳥状配置となっている。
【００１７】
端子台ブロック６Ａ、９Ａに関しては、巻線が溝を介して１つの突片８の下部から回り込み端子ピン５へと配線されている。２つの突片８を有する端子台ブロックでは、巻線を左右いずれの側に形成された溝から回り込ませた場合にあっても、２つの突片８、８間へ回り込み、端子ピン５へと容易に適切に配線することができる。
【００１８】
筒状の巻枠部１の穴には両方向から、２つのＥコア１１、１１の中脚を筒状の巻枠部１の穴に挿入して組み合わせることにより、閉磁路が形成される。Ｅコア１１のヨーク部（背面脚）１２の長さは、端子台基部４Ａ、４Ｂの長手方向の長さにほぼ等しく、Ｅコア１１、１１が端子台基部４Ａ、４Ｂに載置された状態となり、強度や安定度が高く設計されている。ここでは、Ｅ−Ｅコアを用いたが、Ｅ−Ｉコアを用いても良い。
【００１９】
以上の構成により、端子台３Ａにおいては、端子台ブロック６Ｂは１個毎に、端子台基部４Ａの端縁から巻枠部１側へ後退した位置に形成され、端子台ブロック６Ｃは１個毎に、端子台基部４Ａの端縁から巻枠部１側へ連続して形成され、これら端子台ブロック６Ｂ、６Ｃには、突片８の先端から所定距離の位置に端子ピン５が植設されており、端子ピンが千鳥状配置となる。これにより、従来に比べて隣接する端子ピン間の間隔を広くとることができるので、各端子ピン間の耐圧距離を大きくすることができ、安全性が高く、また、各巻線の絡げ作業が容易な巻線部品を提供することができる。端子台ブロック６Ｂと端子台ブロック６Ｃとは先端部がジグザグした位置に配置され、端子台ブロック６Ｂが端子台基部４Ａの端縁から巻枠部１側へ後退した位置に形成されているためスペースが生じており、このスペースにおいて巻線を端子台ブロック６Ｂの端子ピン５側へ折り返す作業ができ、作業性が容易となる。
【００２０】
また、端子台３Ｂにおいては、端子台ブロック９Ｂは１個毎に、端子台基部４Ｂの端縁から巻枠部１側へ後退した位置に形成され、端子台ブロック９Ｃは１個毎に、端子台基部４Ｂの端縁から巻枠部１側へ連続して形成され、これら端子台ブロック９Ｂ、９Ｃには、突片８の先端から所定距離の位置に端子ピン５が植設されており、端子ピンが千鳥状配置となる。これにより、端子台ブロック９Ｂ、９Ｃにおいては、従来に比べて端子ピン間の間隔を広くとることができるので、上記端子ピン間の耐圧距離を大きくすることができ、安全性が高い巻線部品を提供することができる。
【００２１】
なお、以上の実施例では、ボビンには、異なる端子台３Ａ、３Ｂが形成されているが、端子台基部４Ａと同じ端子台ブロックを備えた端子台を巻枠部１の鍔２の下端部に１対形成するようにしても良い。
【００２２】
【発明の効果】
以上説明したように本発明によれば、端子ピンが千鳥状に配置されているので、端子ピン数を増加する場合にも、従来に比べて端子ピン間の間隔を広くすることが可能である。
【図面の簡単な説明】
【図１】本発明に係る巻線部品における底面側の斜視図。
【図２】本発明に係る巻線部品の組立斜視図。
【図３】本発明に係る巻線部品における底面図。
【図４】図３のＩ−Ｉ断面図。
【符号の説明】
１  巻枠部
２  鍔
３Ａ、３Ｂ  端子台
４Ａ、４Ｂ  端子台基部
５  端子ピン
６Ａ〜６Ｃ、９Ａ〜９Ｄ  端子台ブロック
７、１０  オフセット用突起
８  突片
１１  Ｅコア
【図１】
2004356496.tif 000003
【図２】
2004356496.tif 000004
【図３】
2004356496.tif 000005
【図４】
2004356496.tif 000006